(57)【要約】【課題】外出時には、ボタンのＯＮ動作をし忘れた場合でも自動的に監視モードに移行し、ドアや窓等が開いている場合には、その事態を住人に速やかに報知するホームセキュリティ装置を提供する。【解決手段】ホームセキュリティ装置１は、玄関に人が存在することを検知する玄関センサ５、窓の開放を検知する窓開放検知センサ６ａ、ドアの開放を検知するドア開放検知センサ６ｂ、不法侵入があったことを報知する警報手段７、警報手段７の作動等を制御するコントローラ２を有している。そして、非監視モードにおいて玄関センサ５から検知信号を受信した場合には、所定の「監視待ち時間」だけウェイトし、ウェイト後に玄関センサ５から検知信号を受信しなくなった場合に、作動状態を監視モードに切り替えるようになっている。【選択図】図２
2007310694.tif 000002
【特許請求の範囲】
【請求項１】
家屋への不法侵入者を検知するためのホームセキュリティ装置であって、
玄関に人が存在することを検知する玄関センサと、
玄関以外の場所において人の存在あるいはドアや窓の開放を検知する少なくとも１個の検知手段と、
不法侵入があったことを報知する警報手段と、
警報手段の作動を制御するコントローラとを有しており、
警報手段を作動させる監視モードと警報手段を作動させない非監視モードとに作動状態を切り替え可能であり、
非監視モードにおいて玄関センサから検知信号を受信した場合には、所定の監視待ち時間だけウェイトし、ウェイト後に玄関センサから検知信号を受信しなくなった場合には、作動状態を監視モードに切り替えることを特徴とするホームセキュリティ装置。
【請求項２】
監視モードに切り替えられた直後に、すべての検知手段をチェックし、そのチェックにおいて検知手段から検知信号を受信した場合に警報手段を作動させることを特徴とする請求項１に記載のホームセキュリティ装置。
【発明の詳細な説明】
【技術分野】
【０００１】
本発明は、家屋への不法侵入を検知して警報を発するホームセキュリティ装置に関するものである。
【背景技術】
【０００２】
従来のホームセキュリティ装置としては、屋内の所定の場所に、ドアや窓の開放を検知する開放検知センサや物体の通過を検知する赤外線センサ等が設けられており、それらのセンサがドアや窓の開放や物体の通過を検知したときに、所定の警報手段が作動するものが知られている。また、作動状態が、警報手段の作動を伴う監視モードと警報手段の作動を伴わない非監視モードとに切り替え可能になっており、帰宅した場合に所定のボタンを操作することにより監視モードをリセットし、警報手段を作動させないようにすることが可能なホームセキュリティ装置も知られている（特許文献１）。
【０００３】
【特許文献１】平成５年特許願第２５８１９８号公報
【０００４】
そのような作動状態を切り替え可能なホームセキュリティ装置は、外出時に住人が未だ家を出ていない時点で警報手段が作動を発する事態を防止するため、通常、作動状態を監視モードとするための所定のボタンをＯＮ操作してから一定の時間が経過した後に、センサが検知動作を実行するように構成される。
【０００５】
図３は、上記した作動状態を切り替え可能なホームセキュリティ装置の動作の一例を示すフローチャートである。かかるホームセキュリティ装置の監視動作においては、Ｓ（ステップ）５１で、作動状態を監視モードに切り替えるための監視ボタンが押し下げられたか否か判断され、「ＹＥＳ」と判断された場合には、Ｓ５２でウェイト処理が実行された後に、Ｓ５３で、「監視待ち時間」が経過したか否か判断される。そして、「監視待ち時間」が経過したと判断された後に限って、Ｓ５４でセンサ（開放検知センサ、赤外線センサ等）がＯＮであるか否か判断される。そして、Ｓ５４で、センサがＯＮであると判断された場合には、Ｓ５５でウェイト処理が実行された後に、Ｓ５６で「警報待ち時間」が経過したか否か判断され、「ＹＥＳ」と判断された場合に、再度、Ｓ５７でセンサがＯＮ状態であるか否か判断され、「ＹＥＳ」と判断された場合に、Ｓ５８で警報処理が実行される。
【発明の開示】
【発明が解決しようとする課題】
【０００６】
しかしながら、上記従来のホームセキュリティ装置は、外出時には人手によってボタンをＯＮ操作することにより作動状態の切り替えうものであるため、ボタンのＯＮ操作のし忘れによって、いつまでも監視モードに切り替えられない事態が生じることがある。また、外出時には、ボタンのＯＮ操作から一定時間（すなわち、「監視待ち時間」）が経過しないと監視モードにならないため、ドアや窓等が開いていても、分からずにそのまま外出してしまう事態が生じ得る。
【０００７】
本発明の目的は、上記従来のホームセキュリティ装置が有する問題点を解消し、外出時には、ボタンのＯＮ動作をし忘れた場合でも自動的に監視モードに移行するとともに、ドアや窓等が開いている場合には、その事態を住人に速やかに報知するホームセキュリティ装置を提供することにある。
【課題を解決するための手段】
【０００８】
かかる本発明の内、請求項１に記載された発明の構成は、家屋への不法侵入者を検知するためのホームセキュリティ装置であって、玄関に人が存在することを検知する玄関センサと、玄関以外の場所において人の存在あるいはドアや窓の開放を検知する少なくとも１個の検知手段と、不法侵入があったことを報知する警報手段と、警報手段の作動を制御するコントローラとを有しており、警報手段を作動させる監視モードと警報手段を作動させない非監視モードとに作動状態を切り替え可能であり、非監視モードにおいて玄関センサから検知信号を受信した場合には、所定の監視待ち時間だけウェイトし、ウェイト後に玄関センサから検知信号を受信しなくなった場合には、作動状態を監視モードに切り替えることにある。
【０００９】
請求項２に記載された発明の構成は、請求項１に記載された発明において、監視モードに切り替えられた直後に、すべての検知手段をチェックし、そのチェックにおいて検知手段から検知信号を受信した場合に警報手段を作動させることにある。
【発明の効果】
【００１０】
請求項１に記載されたホームセキュリティ装置は、外出時には、作動状態が自動的に監視モードへ切り替えられるため、ボタンの操作のし忘れによって監視モードへ切り替わらない、という事態が生じたりしない。
【００１１】
請求項２に記載されたホームセキュリティ装置は、外出時に、作動状態が監視モードに切り替えられた後には速やかに全ての検知手段をチェックし、ドアや窓が開いていれば直ちに報知するので、ドアや窓を開けたまま外出してしまう、という事態が発生したりしない。
【発明を実施するための最良の形態】
【００１２】
以下、本発明のホームセキュリティ装置の一実施形態について、図面に基づいて詳細に説明する。図１は、住居に設置されたホームセキュリティ装置の制御機構を示すブロック図であり、ホームセキュリティ装置１は、玄関に設置された感熱センサ（所定の温度の物体が存在する場合に信号を発信するセンサ）である玄関センサ５、玄関以外の位置に設けられた窓の開放を検知する赤外線センサである窓開放検知センサ６ａ、玄関以外の位置に設けられたドアの開放を検知する赤外線センサであるドア開放検知センサ６ｂ、ＣＰＵ３やインターフェイス４等を備えたコントローラ２、音や光によって異常を報知する警報手段７、外部電源と接続するための電源供給手段８等を有している。そして、玄関センサ５、窓開放検知センサ６ａ、ドア開放検知センサ６ｂ、警報手段７、電源供給手段８が、インターフェイス４を介してコントローラ２のＣＰＵ３に接続された状態になっている。
【００１３】
以下、上記の如く構成されたホームセキュリティ装置１の動作内容について、図２のフローチャートにしたがって説明する。
【００１４】
ホームセキュリティ装置１の監視動作においては、まず、Ｓ（ステップ）１で、玄関センサ５がＯＮであるか否か（玄関センサ５から検知信号が送信されているか否か）判断され、ＯＮであると判断された場合には、Ｓ２で、作動状態が監視モードであるか否か判断される。そして、Ｓ２で、作動状態が監視モードではないと判断された場合には、Ｓ３で、玄関センサ５がＯＦＦであるか否か判断され、「ＮＯ」と判断された場合（玄関センサ５がＯＮであると判断された場合）には、Ｓ４で、所定の「監視待ち時間」の経過をウェイトした後に、Ｓ５で、その「監視待ち時間」内に玄関センサ５がＯＦＦとなったか否か判断され、「ＹＥＳ」と判断された場合には、再度、Ｓ３が実行された後に、Ｓ６で、作動状態が、監視モードに切り替えられる。かかるＳ１〜Ｓ６までの処理によって、外出時に、作動状態が自動的に監視モードへ切り替えられることになる。
【００１５】
また、Ｓ６で作動状態が監視モードに切り替えられた後には、直ちにＳ７で、窓開放検知センサ６ａ、ドア開放検知センサ６ｂがＯＮであるか否か（窓開放検知センサ６ａ、ドア開放検知センサ６ｂから検知信号が送信されているか否か）判断され、「ＹＥＳ」と判断された場合には、Ｓ８で、警報処理が実行され、警報手段７が警報音を発生したり、所定の態様で発光したりする。かかるＳ６〜Ｓ８までの処理によって、外出時に、窓やドアが開いていれば直ちに報知されることになる。
【００１６】
一方、Ｓ７で窓開放検知センサ６ａおよびドア開放検知センサ６ｂがＯＦＦであると判断された場合には、Ｓ９で、窓開放検知センサ６ａおよびドア開放検知センサ６ｂがＯＮであるか否か繰り返し判断される。そして、Ｓ９で、「ＹＥＳ」と判断された場合には、Ｓ１０でウェイト処理が実行された後に、Ｓ１１で「警報待ち時間」が経過したか否か判断され、経過したと判断された場合に、再度、Ｓ１２で、窓開放検知センサ６ａおよびドア開放検知センサ６ｂがＯＮ状態であるか否か判断され、「ＹＥＳ」と判断された場合に、Ｓ１３で警報処理が実行される。かかるＳ９〜Ｓ８までの処理によって、住人が帰宅して作動状態を手動で非監視モードに切り替えることにより警報手段７の作動を解除することが可能となる。
【００１７】
ホームセキュリティ装置１は、上記の如く、玄関センサ５、窓開放検知センサ６ａ、ドア開放検知センサ６ｂ、警報手段７、警報手段７の作動等を制御するコントローラ２を有しており、非監視モードにおいて玄関センサ５から検知信号を受信した場合には、所定の「監視待ち時間」だけウェイトし、ウェイト後に玄関センサ５から検知信号を受信しなくなった場合に、作動状態を監視モードに切り替えるようになっている。したがって、ホームセキュリティ装置１によれば、外出時には、作動状態が自動的に監視モードへ切り替えられるため、従来のホームセキュリティ装置のようにボタン操作のし忘れによって監視モードへ切り替わらない、という事態が生じない。
【００１８】
また、ホームセキュリティ装置１は、上記の如く、監視モードに切り替えられた直後に、窓開放検知センサ６ａおよびドア開放検知センサ６ｂをチェックし、そのチェックにおいて窓開放検知センサ６ａおよびドア開放検知センサ６ｂから検知信号を受信した場合に警報手段７を作動させるようになっている。したがって、ホームセキュリティ装置１によれば、外出時に、作動状態が監視モードに切り替えられた後にドアや窓が開いていれば、直ちに報知されるので、ドアや窓を開けたまま外出してしまう、という事態が発生しない。
【００１９】
なお、本発明のホームセキュリティ装置の構成は、上記した各実施例の態様に何ら限定されるものではなく、玄関センサ、検知手段、コントローラ、警報手段等の構成を、本発明の趣旨を逸脱しない範囲で、必要に応じて適宜変更できる。たとえば、検知手段は、ドアや窓の開閉あるいは物体の通過を検知する赤外線センサに限定されず、感熱センサ等を採用することも可能である。また、検知手段の設置位置は、必ずしも屋内に限定されず、窓や玄関の外側等に設置することも可能である。加えて、検知手段の設置個数も必要に応じて適宜変更することができる。
【産業上の利用可能性】
【００２０】
本発明のホームセキュリティ装置は、上記の如く優れた効果を有するものであるから、家屋や店舗用のセキュリティ装置として好適に用いることができる。
【図面の簡単な説明】
【００２１】
【図１】ホームセキュリティ装置の制御機構を示すブロック図である。
【図２】ホームセキュリティ装置の動作内容を示すフローチャートである。
【図３】従来のホームセキュリティ装置の動作内容を示すフローチャートである。
【符号の説明】
【００２２】
１・・ホームセキュリティ装置、２・・コントローラ、５・・玄関センサ、６ａ・・窓開放検知センサ、６ｂ・・ドア開放検知センサ、７・・警報手段。
【図１】
2007310694.tif 000003
【図２】
2007310694.tif 000004
【図３】
2007310694.tif 000005